(57)【要約】【課題】　テレビジョン受像機のシャーシにおいて、下段要素に上段要素を結合する際の作業手順から座付きビスの締付け作業を省略し、併せて、上段要素を前後左右及び上下方向で位置決めすることによって上段要素が衝撃により下段要素から離脱しにくくする。【解決手段】　下段要素１の支持体２に上段要素５の取付部６を位置決めして結合する。第１結合手段と第２結合手段と第３結合手段とを備える。第１結合手段は立上り壁３１と係止爪３７とを備える。第２結合手段は支柱３４と後向き突片部３２とを含む。第３結合手段は後向き突片部３２と横向き突片部３５とを含む。支持体２が下段要素１の左右両側に備わり、取付部６が上段要素５の左右両側に備わっている。【選択図】　　　　図５
0003100327.tif 000002
【実用新案登録請求の範囲】
【請求項１】
上下２段に亘って配備された下段要素と上段要素とを備え、下段要素に一体成形された支持体に、上段要素に一体成形された取付部が位置決めされた状態で重なり状に結合されているテレビジョン受像機の合成樹脂製シャーシにおいて、
　支持体に、取付部を前後２箇所で挟み付けてその取付部を前後方向で位置決めする第１結合手段と、取付部を左右方向で位置決めする第２結合手段と、取付部を支持体との間で挟んでその取付部を上下方向で位置決めする第３結合手段とが備わり、
　第１結合手段は、支持体の前部に具備されてその支持体上の初期載置位置から取付部を前方の結合位置にスライドさせることによりその取付部の前端部に具備された板片状の差込部が突き合わされる立上り壁と、支持体の後部に具備されてその支持体上で取付部を初期載置位置から結合位置にスライドさせることによりその取付部の後端部に具備された係合縁を乗り越えてその係合縁に係止する上下に弾性変位可能な係止爪とを備え、
　第２結合手段は、支持体に具備されて取付部を支持体上の初期載置位置に重ね合わせることによってその支持体に具備された幅広開口に挿入され、かつ、取付部を初期載置位置から結合位置にスライドさせることにより上記幅広開口に連続する幅狭開口に移行される支柱と、上記立上り壁の頂部から後向きに突き出して上記差込部の左右両側に具備されたリブの相互間に嵌め込まれる後向き突片部とを含み、
　第３結合手段は、支持体上で取付部が初期載置位置から結合位置にスライドされたときに、支持体と共働して取付部を挟持する押え片を備え、この押え片が、上記後向き突片部と、上記第２結合手段の支柱の頂部から横方向に突き出して上記幅狭開口の口縁部に重なり合う横向き突片部とを含み、
　支持体が下段要素の左右両側に備わり、取付部が上段要素の左右両側に備わっていて、第２結合手段が、下段要素の左右両側の支持体にそれぞれ具備されて上段要素を左右方向で挟持する上記支柱と上記後向き突片部とを含むことを特徴とするテレビジョン受像機の合成樹脂製シャーシ。
【請求項２】
上下２段に亘って配備された下段要素と上段要素とを備え、下段要素に一体成形された支持体に、上段要素に一体成形された取付部が位置決めされた状態で重なり状に結合されているテレビジョン受像機の合成樹脂製シャーシにおいて、
　支持体に、取付部を前後２箇所で挟み付けてその取付部を前後方向で位置決めする第１結合手段と、取付部を左右方向で位置決めする第２結合手段と、取付部を支持体との間で挟んでその取付部を上下方向で位置決めする第３結合手段とが備わり、
　第１結合手段は、支持体の前部に具備されてその支持体上の初期載置位置から取付部を前方の結合位置にスライドさせることによりその取付部の前端部に具備された板片状の差込部が突き合わされる立上り壁と、支持体の後部に具備されてその支持体上で取付部を初期載置位置から結合位置にスライドさせることによりその取付部の後端部に具備された係合縁を乗り越えてその係合縁に係止する上下に弾性変位可能な係止爪とを備え、
　第２結合手段は、支持体に具備されて取付部を支持体上の初期載置位置に重ね合わせることによってその支持体に具備された幅広開口に挿入され、かつ、取付部を初期載置位置から結合位置にスライドさせることにより上記幅広開口に連続する幅狭開口に移行される支柱を備え、
　第３結合手段は、支持体上で取付部が初期載置位置から結合位置にスライドされたときに、支持体と共働して取付部を挟持する押え片を備えていることを特徴とするテレビジョン受像機の合成樹脂製シャーシ。
【請求項３】
第３結合手段の押え片が、上記第１結合手段の立上り壁の頂部から後向きに突き出して上記差込部に重なり合う後向き突片部と、上記第２結合手段の支柱の頂部から横方向に突き出して上記幅狭開口の口縁部に重なり合う横向き突片部とを含む請求項２に記載したテレビジョン受像機の合成樹脂製シャーシ。
【請求項４】
支持体が下段要素の左右両側に備わり、取付部が上段要素の左右両側に備わっていて、第２結合手段が、下段要素の左右両側の支持体に具備された上記支柱を含む請求項２又は請求項３に記載したテレビジョン受像機の合成樹脂製シャーシ。
【考案の詳細な説明】
【技術分野】
【０００１】
　本考案は、テレビジョン受像機の合成樹脂製シャーシ、詳しくは、ビデオテープレコーダ一体型テレビジョン受像機に採用される合成樹脂製シャーシに関する。
【背景技術】
【０００２】
　図７及び図８を参照して従来例を説明する。図７は従来の合成樹脂製シャーシの平面図、図８（Ａ）は図７の要部の側面図、同（Ｂ）は同（Ａ）の要部を拡大した縦断側面図である。
【０００３】
　この合成樹脂製シャーシは、前後方向長さの長い下段要素１と、それよりも前後方向長さの短い上段要素５とを備えていて、下段要素１の左右両側にそれぞれ一体成形されている支持体２に、上段要素５の左右両側にそれぞれ一体成形されている取付部６が位置決めされた状態で重なり状に結合されている。さらに具体的には、支持体２が前側ポスト２１と後側ポスト２５とに分かれていて、それらの上に重ね合わされたリブ６１を備える板片状の支持体６に前後に長い長孔６２が備わり、その長孔６２に挿通された２本の座付きビス９１，９２のうちの一方が前側ポスト２１にねじ込まれ、そのうちの他方が後側ポスト２５にねじ込まれている。なお、図６（Ｂ）に示した後側ポスト２５には、その頂面２６に、取付部６の長孔６２に挿入されるボス２７が備わっている。なお、前側ポスト２１についても同様にその頂面２２（図６（Ｂ）参照）に取付部６の長孔６２に挿入されるボス（不図示）が備わっている。
【０００４】
　ビデオテープレコーダ一体型テレビジョン受像機において、このシャーシの下段要素１はトレイシャーシと称されてビデオデッキやメイン基板、チューナパーツなどが搭載され、上段要素５はＨＶシャーシと称されて電源基板などが搭載される。そして、シャーシを上記のように下段要素１とその上に積み重ねられて結合された上段要素５とによって形成すると、シャーシ全体の前後長さが短縮されるので、当該シャーシを運搬するときの梱包がコンパクトになるという利点や、上記テレビジョン受像機での収容スペースの前後長さを短縮して小形化を促進しやすいといった利点がある。
【０００５】
　他の従来例として、音響機器や家電機器のカバー体にフロントパネルを取り付ける場合に、フロトパネルを係止しているフロントアングルの変形を、カバー体に設けた挿入片で抑制することよってフロントパネルの脱落を防ぐというフロントパネル取付構造が知られている（たとえば特許文献１参照）。また、電子機器の前面パネルが衝撃により脱落することを防ぐための構造も提案されている（たとえば特許文献２参照）。
【０００６】
【特許文献１】実用新案登録第２５２２５９３号公報
【特許文献２】特開平１１−１２１９３７号公報
【考案の開示】
【考案が解決しようとする課題】
【０００７】
　しかしながら、図７及び図８で説明した従来例では、下段要素１に上段要素５を結合する際の作業手順に、２本の座付きビス９１，９２を締め付けるという煩わしい作業が含まれるためにその作業が煩わしいだけでなく、座付きビス９１，９２の締付けトルクにばらつきが生じやすいために双方の要素１，５の結合状態にばらつきが生じやすいという問題や、座付きビスが余分に必要になってそれだけ部品コストが嵩むという問題があった。
【０００８】
　そこで、本願考案者は、下段要素に上段要素を結合する際の作業手順から座付きビス自体や座付きビスの締付け作業を省略することによって、その作業性を改善することのできるテレビジョン受像機の合成樹脂製シャーシを案出した。このものを図９又は図１０を参照して比較例として説明する。
【０００９】
　図９は比較例に係るテレビジョン受像機の合成樹脂製シャーシの一部省略平面図、図１０は図９の要部の側面図である。
【００１０】
　この合成樹脂製シャーシは、前後方向長さの長い下段要素１と、それよりも前後方向長さの短い上段要素５とを備えていて、下段要素１の左右両側にそれぞれ一体成形されている支持体２に、上段要素５の左右両側にそれぞれ一体成形されている取付部６が位置決めされた状態で重なり状に結合されている点、支持体２が前側ポスト２１と後側ポスト２５とに分かれている点で、図７又は図８で説明したシャーシと同様であるけれども、次の点で図７又は図８で説明したシャーシと異なっている。
【００１１】
　すなわち、このシャーシでは、取付部６の前端に具備された板片状の差込部６３を、前側ポスト２１の頂部に設けた凹入部２２に差し込んで上段要素５を下段要素１に対し上下方向で位置決めすると共に、取付部６の後端部に開設した開口６４を後側ポスト２５の頂部に設けた係止爪２８に嵌めてその係止爪２８を開口６４の口縁６５に係止させることによって上段要素５を下段要素１に対し上下方向で位置決めしている。また、下段要素１の左右両側の支持体２と上段要素５の左右両側の取付部６とを図１０で説明した構成によって結合することによって上段要素５を下段要素１に対し左右方向で位置決めしている。
【００１２】
　この比較例によると、図７や図８で説明した座付きビスを用いる必要がなく、また、座付きビスに代わる別部品を用いる必要もなくなり、しかも、上段要素５を取り付けるときには、図１０に仮想線で示したように、取付部６を斜めに傾けてその差込部６３を凹入部２２に差し込んだ後、矢印ａのように取付部６を押し下げて開口６４の口縁６５を係止爪２８に係止させるという簡単な作業を行うだけで済むという利点を備えている。
【００１３】
　しかしながら、この比較例によると、衝撃が加わった場合に、上段要素５が下段要素１に対して矢印ｆのように後方へ位置ずれするという事態が起こり、それによって取付部６が支持体１から離脱するという事態の起こり得ることが判明した。
【００１４】
　本考案は図７又は図８を参照して説明した従来例についての上記問題を解決することができると共に、比較例について図９又は図１０で説明した衝撃による離脱という事態を起こりにくくすることのできるテレビジョン受像機の合成樹脂製シャーシを提供することを目的とする。
【課題を解決するための手段】
【００１５】
　本考案に係るテレビジョン受像機の合成樹脂製シャーシは、上下２段に亘って配備された下段要素と上段要素とを備え、下段要素に一体成形された支持体に、上段要素に一体成形された取付部が位置決めされた状態で重なり状に結合されている。
【００１６】
　また、支持体に、取付部を前後２箇所で挟み付けてその取付部を前後方向で位置決めする第１結合手段と、取付部を左右方向で位置決めする第２結合手段と、取付部を支持体との間で挟んでその取付部を上下方向で位置決めする第３結合手段とが備わっている。
【００１７】
　そして、第１結合手段は、支持体の前部に具備されてその支持体上の初期載置位置から取付部を前方の結合位置にスライドさせることによりその取付部の前端部に具備された板片状の差込部が突き合わされる立上り壁と、支持体の後部に具備されてその支持体上で取付部を初期載置位置から結合位置にスライドさせることによりその取付部の後端部に具備された係合縁を乗り越えてその係合縁に係止する上下に弾性変位可能な係止爪とを備え、第２結合手段は、支持体に具備されて取付部を支持体上の初期載置位置に重ね合わせることによってその支持体に具備された幅広開口に挿入され、かつ、取付部を初期載置位置から結合位置にスライドさせることにより上記幅広開口に連続する幅狭開口に移行される支柱を備え、第３結合手段は、支持体上で取付部が初期載置位置から結合位置にスライドされたときに、支持体と共働して取付部を挟持する押え片を備えている。
【００１８】
　この構成であれば、取付部が支持体に対して前後方向、左右方向及び上下方向の３軸方向で位置決めされているので、下段要素と上段要素とが衝撃によって離脱するという事態が起こりにくくなる。また、第１、第２及び第３の各結合手段を座付きビスなどの余分な部品を用いずに支持体に一体成形して形成することができ、しかも、第１、第２及び第３の各結合手段が、支持体に対して取付部材をスライドさせるだけで両者を結合する機能を発揮するので、下段要素に上段要素を取り付ける際に作業性にも優れる。
【００１９】
　本考案では、第３結合手段の押え片が、上記第１結合手段の立上り壁の頂部から後向きに突き出して上記差込部に重なり合う後向き突片部と、上記第２結合手段の支柱の頂部から横方向に突き出して上記幅狭開口の口縁部に重なり合う横向き突片部とを含む、という構成を採用することが可能である。これによれば、押え片に含まれる後向き突片部や横向き突片部を立上り壁や支柱の頂部に具備させてあるので、それらの後向き突片部や横向き突片部を、立上り壁や支柱の形成箇所と異なる箇所に形成する必要がなくなってそれだけ支持体の構成が簡単になる。
【００２０】
　本考案では、支持体が下段要素の左右両側に備わり、取付部が上段要素の左右両側に備わっていて、第２結合手段が、下段要素の左右両側の支持体に具備された上記支柱を含む、という構成を採用することが可能である。
【００２１】
　また、本考案に係るテレビジョン受像機の合成樹脂製シャーシは次の構成を採用することによっていっそう具体化される。すなわち、上下２段に亘って配備された下段要素と上段要素とを備え、下段要素に一体成形された支持体に、上段要素に一体成形された取付部が位置決めされた状態で重なり状に結合されているテレビジョン受像機の合成樹脂製シャーシにおいて、支持体に、取付部を前後２箇所で挟み付けてその取付部を前後方向で位置決めする第１結合手段と、取付部を左右方向で位置決めする第２結合手段と、取付部を支持体との間で挟んでその取付部を上下方向で位置決めする第３結合手段とが備わり、第１結合手段は、支持体の前部に具備されてその支持体上の初期載置位置から取付部を前方の結合位置にスライドさせることによりその取付部の前端部に具備された板片状の差込部が突き合わされる立上り壁と、支持体の後部に具備されてその支持体上で取付部を初期載置位置から結合位置にスライドさせることによりその取付部の後端部に具備された係合縁を乗り越えてその係合縁に係止する上下に弾性変位可能な係止爪とを備え、第２結合手段は、支持体に具備されて取付部を支持体上の初期載置位置に重ね合わせることによってその支持体に具備された幅広開口に挿入され、かつ、取付部を初期載置位置から結合位置にスライドさせることにより上記幅広開口に連続する幅狭開口に移行される支柱と、上記立上り壁の頂部から後向きに突き出して上記差込部の左右両側に具備されたリブの相互間に嵌め込まれる後向き突片部とを含み、第３結合手段は、支持体上で取付部が初期載置位置から結合位置にスライドされたときに、支持体と共働して取付部を挟持する押え片を備え、この押え片が、上記後向き突片部と、上記第２結合手段の支柱の頂部から横方向に突き出して上記幅狭開口の口縁部に重なり合う横向き突片部とを含み、支持体が下段要素の左右両側に備わり、取付部が上段要素の左右両側に備わっていて、第２結合手段が、下段要素の左右両側の支持体にそれぞれ具備されて上段要素を左右方向で挟持する上記支柱と上記後向き突片部とを含む、という構成を採用することによっていっそう具体化される。この考案の作用は、後述する実施形態を参照して詳細に説明する。
【考案の効果】
【００２２】
　以上のように、本考案によれば、下段要素に上段要素を結合する際の作業手順から座付きビス自体や座付きビスの締付け作業を省略してその作業性を改善し、併せて部品点数を削減して部品コストを低減しやすくなるだけでなく、下段要素に上段要素を取り付ける際の作業性に優れ、その上、上下各段の要素が相互に前後方向、左右方向、上下方向の３軸方向で位置決めされているので、落下時などの衝撃で両要素が離脱するという事態も起こりにくくなる。そのほか、下段要素と上段要素との結合状態にばらつきが生じにくいテレビジョン受像機の合成樹脂製シャーシを提供することが可能になるという効果もある。
【考案を実施するための最良の形態】
【００２３】
　図１は下段要素１の一部省略平面図、図２は図１の要部の側面図、図３は上段要素５の一部省略平面図、図４は図３の要部の側面図である。
【００２４】
　図１又は図２のように、下段要素１は、前後方向長さの長い略矩形の合成樹脂成形体でなり、その左右両側にそれぞれ支持体２が一体成形されていて、図例の下段要素１では、支持体２が前側ポスト２１と後側ポスト２５とに分かれている。そして、前側ポスト２１に、その頂面２３と、頂面２３に連設された立上り壁３１と、立上り壁３１の頂部から突き出した後向き突片部３２とによって形成された凹入部３３が備わっている。これに対し、後側ポスト２５には、頂部に横向き突片部３５を備える支柱３４と、後側ポスト２５の頂部から後向きに突き出した弾性片部３６を備える上向きの係止爪３７とを一体に備えていて、係止爪３７は、弾性片部３６の弾性によって上下方向に弾性変位可能である。
【００２５】
　これに対し、上段要素５は、図３又は図４のように、前後方向長さの短い略矩形の合成樹脂成形体でなり、その左右両側にそれぞれ取付部６が一体成形されていて、図例の上段要素６では、取付部６が板片状に形成されていて、その裏面側の所定箇所にリブ６１を備えている。また、この取付部６は、その前端部に板片状の差込部７１を備えていると共に、その差込部７１の左右両側にリブ７２，７２が立ち上げられている。また、取付部６の後端部には、幅広開口７３とこの幅広開口７３に連続する幅狭開口７４とが形成されていると共に、それらの開口７３，７４の近傍箇所にも開口７５が開設され、その開口７５の前側の口縁が係合縁７６として形成されている。
【００２６】
　上記した下段要素１と上段要素５とは上下２段に亘って配備され、下段要素１の左右両側の支持体２，２に上段要素５の左右両側の取付部６，６がそれぞれ重ね合わされ、その状態で前後方向、左右方向及び上下方向の３軸方向で位置決めされた状態でそれらの支持体２と取付部６とが結合される。以下、この点を作業手順と共に説明する。
【００２７】
　図５（Ａ）（Ｂ）は作業手順を示した説明図、図６（Ａ）は図５（Ｂ）のＶＩＡ−ＶＩＡ線に沿う部分の拡大断面図、同（Ｂ）は同（Ｂ）のＶＩＢ−ＶＩＢ線に沿う部分の拡大断面図、同（Ｃ）は同（Ｂ）のＶＩＣ−ＶＩＣ線に沿う部分の拡大断面図である。
【００２８】
　下段要素１に上段要素５を取り付けるときには、最初の段階で、上段要素５を下段要素１に対する結合箇所の少し後方に位置させて下段要素１の上に積み重ね、そうすることにより、取付部６を支持体２（図２参照）の前側ポスト２１と後側ポスト２５との上に載置して、図５（Ａ）のように取付部６の差込部７１を前側ポスト２１の立上り壁３１にその後方から対向させ、併せて、取付部６の幅広開口７３に後側ポスト２５の支柱３４と横向き突片部３５とを挿通させる。こうすることにより、後側ポスト２５の係止爪３７が取付部６により押し下げられて下方へ弾性変位する。この位置が取付部６の初期載置位置である。
【００２９】
　次に、取付部６を図５（Ａ）の初期載置位置から矢印Ｙのように前方へスライドさせて同図（Ｂ）の結合位置に位置させる。この結合位置では、取付部６の差込部７１が図６（Ａ）のように前側ポスト２１の凹入部３３に挿入されて立上り壁３１に突き合わされると共に、その差込部７１の上に後向き突片部３２が重なり合い、また、係止爪３７が取付部６の係合縁７６を乗り越えた直後に上方へ弾性変位して図６（Ｃ）のように開口７５内に突出し、それによって係止爪３７が係合縁７６に係止する。さらに、支柱３４が図６（Ｂ）のように幅広開口７３に連続する幅狭開口７４に移行し、それに伴って横向き突片部３５が幅狭開口７４の口縁部７４ａに重なり合う。
【００３０】
　以上の手順で上段要素５を下段要素１に結合すると、上段要素５の取付部６は、前側ポスト２１の立上り壁３１と後側ポスト２５の係止爪３７とにより挟まれて前後方向で位置決めされる。したがって、立上り壁３１と係止爪３７とが、取付部６を前後２箇所で挟み付けてその取付部６を前後方向で位置決めする第１結合手段を形成している。また、支持体２が下段要素１の左右両側に備わり、取付部６が上段要素５の左右両側に備わっているところから、上段要素５が左右の支柱３４と左右の後向き突片部３２とにより挟まれ、それによって取付部６が左右方向で位置決めされる。したがって、これらの支柱３４と後向き突片部３２とが、取付部６を左右方向で位置決めする第２結合手段を形成している。さらに、取付部６は、その上に重なりあっている後向き突片部３２と横向き突片部３５と前後のポスト２１，２５の頂部とにより挟まれて上下方向で位置決めされる。したがって、これらの後向き突片部３２と横向き突片部３５とが、取付部６を支持体２との間で挟んでその取付部６を上下方向で位置決めする第３結合手段を形成していて、しかも、支持体２と共働して取付部６を挟持する押え片に後向き突片部３２と横向き突片部３５とが含まれる。
【００３１】
　上記した手順を採用して下段要素１に上段要素５を結合すると、上段要素５が下段要素１に対して前後方向、左右方向及び上下方向の３軸方向で位置決めされて相互に動かない状態に保たれるので、衝撃が加わっても、下段要素１と上段要素５とが離脱するような事態は起こりにくい。また、図７や図８で説明した座付きビス９１，９２は不要であり、上記した第１、第２及び第３の各結合手段が支持体２の前側ポスト２１や後側ポスト２５と一体成形されているので、支持体２に対する取付部６の取付状態が安定し、下段要素１と上段要素５との結合状態にばらつきが生じない。
【図面の簡単な説明】
【００３２】
【図１】本考案に係るシャーシの下段要素の一部省略平面図である。
【図２】図１の要部の側面図である。
【図３】同シャーシの上段要素の一部省略平面図である。
【図４】図３の要部の側面図である。
【図５】（Ａ）は支持体の初期載置位置に取付部を載置した状態の概略平面図、（Ｂ）は支持体の結合位置に取付部をスライドさせた状態の概略平面図である。
【図６】（Ａ）は図５（Ｂ）のＶＩＡ−ＶＩＡ線に沿う部分の拡大断面図、（Ｂ）は図５（Ｂ）のＶＩＢ−ＶＩＢ線に沿う部分の拡大断面図、（Ｃ）は図５（Ｂ）のＶＩＣ−ＶＩＣ線に沿う部分の拡大断面図である。
【図７】従来の合成樹脂製シャーシの平面図である。
【図８】（Ａ）は図７の要部の側面図、（Ｂ）は（Ａ）の要部を拡大した縦断側面図である。
【図９】比較例に係るテレビジョン受像機の合成樹脂製シャーシの一部省略平面図である。
【図１０】図９の要部の側面図である。
【符号の説明】
【００３３】
　１　下段要素
　２　支持体
　５　上段要素
　６　取付部
　３１　立上り壁
　３２　後向き突片部
　３４　支柱
　３５　横向き突片部
　３７　係止爪
　７１　差込部
　７２　リブ
　７３　幅広開口
　７４　幅狭開口
　７６　係合縁
【図１】
0003100327.tif 000003
【図２】
0003100327.tif 000004
【図３】
0003100327.tif 000005
【図４】
0003100327.tif 000006
【図５】
0003100327.tif 000007
【図６】
0003100327.tif 000008
【図７】
0003100327.tif 000009
【図８】
0003100327.tif 000010
【図９】
0003100327.tif 000011
【図１０】
0003100327.tif 000012